(57)【特許請求の範囲】
【請求項１】
表面側に表示パネル（１４）を取付ける枠体（１）と枠体（１）を床面上の背面側で起立姿勢で支持するスタンド（７）とを備えた表示パネル用固定枠であって、枠体（１）を２個以上に分割して形成し、分割された分割枠（２），（３）毎に各別の表示パネル（１４），（１６）を取付けるとともに分割枠（２），（３）間に表示パネル（１４），（１６）の表示面を内向き方向に折畳み開閉可能なヒンジ部（４）を設け、表示パネル（１４），（１６）を収容した隣接する分割枠（２），（３）同士を折畳んだ姿勢の枠体（１）の上端側に突出し、枠体（１）全体を持運び可能に把持する横杆からなる把持部（７ａ）を設け、該把持部（７ａ）が上記スタンド（７）の一部を構成し、折畳み状態で上辺側で横方向に架設される１本又は２本以上の横杆である折畳み式表示パネル用固定枠。
【請求項２】
隣接する分割枠（２），（３）同士を、展開した表示姿勢で係脱可能に固定するクランプ機構を設けた請求項１に記載の折畳み式表示パネル用固定枠。
【請求項３】
隣接する分割枠（２），（３）同士を伸展させた突合せ状態で、一方の分割枠（２）を他方の分割枠（３）に沿わせて保持するサポート杆（６）をいずれかの分割枠に取付けてなる請求項１又は２のいずれかに記載の折畳み式表示パネル用固定枠。
【請求項４】
隣接する分割枠（２），（３）の少なくとも両端の枠材（２ａ），（２ｂ）をパイプ材とし、該枠材（２ａ），（２ｂ）の突合せ状態で一方のパイプ材の開口部から突出させ他方のパイプ材に挿脱可能に差込むことにより隣接する分割枠（２），（３）を伸展状態で保持するサポート杆（６）を設けてなる請求項３に記載の折畳み式表示パネル用固定枠。
【請求項５】
四角形の分割枠（２），（３）の四辺の枠材（２ａ，２ｂ，２ｃ，２ｄ）の内少なくとも相対する２辺の枠材に対して表示パネル（１４），（１６）を表面側から着脱可能に押接固定する押えカバー（１７）を設けた請求項１〜４のいずれかに記載の折畳み式表示パネル用固定枠。
【請求項６】
隣接する一方の分割枠（２）と他方の分割枠（３）の境界部に設けたヒンジ部（４）を枠体伸展時に枠体（１）の表面に突出させる機構とし、該突出したヒンジ部（４）に表示パネル（１４），（１６）の隣接端を当接させて表示パネル（１４），（１６）の位置決めを行う請求項１〜５のいずれかに記載の折畳み式表示パネル用固定枠。
【請求項７】
枠体（１）内に取付けられた表示パネル（１４），（１６）間に、枠体（１）の前後一方の側から他方の側を透視できる窓状の透視空間（２７）を形成してなる請求項１〜６のいずれかに記載の折畳み式表示パネル用固定枠。
【発明の詳細な説明】
【技術分野】
【０００１】
この発明は主として高速道路や一般道その他のガスや水道工事現場又は各種イベント会場等において通行案内標識に使用される折畳み式表示パネル用固定枠に関する。
【背景技術】
【０００２】
従来上記のような建設現場やイベント会場では、特許文献１に示すような折畳み可能なスタンドが折畳みできる立看板式の表示具が知られており、この立看板は現場の人や車両等の通行量が多い場合又はダンプカーやコンテナカー等のドライバーのように高い運転席から瞬時に表示内容を視認する必要から、例えば枠幅９００〜１４００ｍｍ，高さ１４００〜１８００ｍｍ程度の高くて幅広の看板が求められることが多い。そしてこれにスタンド部分の高さがプラスされるとさらに高さが必要となる。
【先行技術文献】
【特許文献】
【０００３】
【特許文献１】特許第６１４１２１９号公報
【発明の概要】
【発明が解決しようとする課題】
【０００４】
しかし上記のような大型の看板はドライバーや通行人等にとって視認性には優れているものの、表示パネルを固定する枠体サイズは、例えば展示現場に搬送する際も軽自動車やパトロールカー等のサイズでは積み込み自体が難しくダンプカーや大型トラックを必要とするケースも少なくなく、重量もあるため作業者も複数人を要することが多い。
【０００５】
また大型看板は現場で設置場所まで持ち運ぶ際も、看板を背面から視界不良のまま把持して横歩き状態で搬送する必要が多く、通行する人への接触や走行中の車両への接触等の危険性も高く作業効率も悪い等の欠点がある。特に足場の悪く又は強風下の工事現場での転倒や高速道路の大型車両の風圧を受ける事故の懸念がある。
【課題を解決するための手段】
【０００６】
上記課題を解決するための本発明の表示パネル用固定枠は、第１に表面側に表示パネル１４を取付ける枠体１と枠体１を床面上の背面側で起立姿勢で支持するスタンド７とを備えた表示パネル用固定枠であって、枠体１を２個以上に分割して形成し、分割された分割枠２，３毎に各別の表示パネル１４，１６を取付けるとともに分割枠２，３間に表示パネル１４，１６の表示面を内向き方向に折畳み開閉可能なヒンジ部４を設け、表示パネル１４，１６を収容した隣接する分割枠２，３同士を折畳んだ姿勢の枠体１の上端側に突出し、枠体１全体を持運び可能に把持する横杆からなる把持部７ａを設け、該把持部７ａが上記スタンド７の一部を構成し、折畳み状態で上辺側で横方向に架設される１本又は２本以上の横杆であることを特徴としている。
【０００７】
第２に、隣接する分割枠２，３同士を、展開した表示姿勢で係脱可能に固定するクランプ機構を設けたことを特徴としている。
【０００８】
第３に、隣接する分割枠２，３同士を伸展させた突合せ状態で、一方の分割枠２を他方の分割枠３に沿わせて保持するサポート杆６をいずれかの分割枠に取付けてなることを特徴としている。
【０００９】
第４に、隣接する分割枠２，３の少なくとも両端の枠材２ａ，２ｂをパイプ材とし、該枠材２ａ，２ｂの突合せ状態で一方のパイプ材の開口部から突出させ他方のパイプ材に挿脱可能に差込むことにより隣接する分割枠２，３を伸展状態で保持するサポート杆６を設けてなることを特徴としている。
【００１０】
第５に、四角形の分割枠２，３の四辺の枠材２ａ，２ｂ，２ｃ，２ｄの内少なくとも相対する２辺の枠材に対して表示パネル１４，１６を表面側から着脱可能に押接固定する押えカバー１７を設けたことを特徴としている。
【００１１】
第６に、隣接する一方の分割枠２と他方の分割枠３の境界部に設けたヒンジ部４を枠体伸展時に枠体１の表面に突出させる機構とし、該突出したヒンジ部４に表示パネル１４，１６の隣接端を当接させて表示パネル１４，１６の位置決めを行うことを特徴としている。
【００１２】
第７に、枠体１内に取付けられた表示パネル１４，１６間に、枠体１の前後一方の側から他方の側を透視できる窓状の透視空間２７を形成してなることを特徴としている。
【発明の効果】
【００１３】
本発明のパネル用固定枠は以上のように構成されるので、以下のような効果を奏する。
（１）枠体が２個以上の折畳み可能な分割枠で構成されるため、表示パネルの高さと幅をより大きくした大型看板であっても、折畳み状態で持運びや荷積みが出来るので、横歩きや視界不良状態もなくこれらの作業効率が良く、他の通行者や作業者自身の安全性の確保ができるとともに作業効率が向上する。
また１つの枠体で複数の表示パネルの展示ができ、展示内容も多彩になり、通行人や作業者の安全性を確保できる利点がある。特に隣接分割枠間に空間を形成できるので、この空間を介して看板の反対側の現場情況の視認ができる等の効果を得ることができる。
【００１４】
（２）折畳み状態をクランプ機構でセットし、枠体の横杆等を把持部として簡単に持運びや積荷作業が安全を確保しながら行えるほか、枠体の分割枠に表示パネルを押接固定する押えカバーを設け、隣接分割パネルは互に内向きに折畳まれるので、高輝度表示パネル等の高価なパネルであっても、積重ねや搬送時に表面を損傷することがなく、長寿命を保てるほか、上下とも表示内容を自由に選択し、多用途に使用できる。
上記以外の本発明の効果及び詳細な特徴は、［発明を実施するための形態］の項において説明する。
【図面の簡単な説明】
【００１５】
【図１】本発明の一実施形態を示す看板のスタンド状態の全体斜視図である。
【図２】同じく看板の折畳み状態を示す側断面図である。
【図３】枠体の折畳み状態におけるクランプ機構及びサポート機構を示す側断面拡大図である。
【図４】枠体の枠材による表示パネルの押接固定機構を示す部分拡大断面図である。
【図５】枠体の折畳み状態における上端の平面図である。
【図６】２番目の実施形態を示す看板のスタンド状態の正面全体図である。
【図７】同じく第２実施形態の折畳み状態を示す側断面図である。
【図８】枠体の伸展状態のクランプ機構及びサポート機構を示す拡大側面断面図である。
【図９】（Ａ），（Ｂ）は共に本発明の看板における表示板間に透視空間を設けた例を示す正面図である。
【発明を実施するための形態】
【００１６】
図１〜図４はこの発明の第１実施形態を示し、図１は本発明の折畳み式の表示パネル用固定枠の全体斜視図を示し、枠体１はこの例では設置高さ１５００ｍｍ，幅６００ｍｍ程度で、管径２０〜２５ｍｍ程度のアルミ押出成形材で縦長の長方形に形成されている。枠体１は略中間位置で上下の分割枠２，３として分割形成され、上分割枠２と下分割枠３はそれぞれ縦長の長方形に形成され、左右の縦枠材２ａ，３ａと上下端の横枠材２ｂ，３ｂで組立構成されている。下分割枠３の縦枠材３ａの下端は下枠材３ｂより突出して接地用の脚部を兼ねている。
【００１７】
上下の分割枠２，３の隣接横枠材２ｂ，３ｂは左右のヒンジ部４を介して連結され、正面（表示面）側を内向きにして折畳んで重ね合わされる機構となっており（図２参照）、下分割枠３の上端側背面には、図示するように、上分枠枠２で伸展された起立状態で、上分割枠２の左右の縦枠材２ａの下端側背面を受け止めて支持するアングル状断面のサポート杆６が上側に突出させて取付けられている。
【００１８】
上記左右のサポート杆６の上端内面側には、長方形枠からなるスタンド７の上端がそれぞれ回動開閉可能に連結されて取付けられており、その下端側の横杆７ｂと下分割枠３の下端側の横枠材３ｂとの間には、中間部で屈伸して折畳み回動可能な梯子状の位置決め枠８が連結して取付けられている。位置決め枠８は伸展状態でスタンドの開脚を固定的にセットされ、その上面にウェイトを載置して安定的起立状態を保持させる。
【００１９】
上記機構により、位置決め枠８の中央と前後両端の連結支点Ｏ１〜Ｏ３の内、中央の連結支点Ｏ１を上向きに操作することにより、スタンド７の上端の連結支点Ｏ４を支点にスタンド７が枠体１の背面に沿って折畳まれる。また上下の分割枠２，３は両者のヒンジ部４の連結支点Ｏ５を介して正面（表示面）側の内側にして図２のように折畳むことができる。
【００２０】
この折畳み状態をセットするために、スタンド７の側面には係止用のフック材９が回動自在に付設され、上分割枠２の同側面対応位置には、折畳み状態で係止用のフック材９に係脱可能に係止される蝶ねじ等からなる係止ボルト１１が設けられ、係止ボルト１１を締付けることにより、固定枠全体が折畳み状態でセットされる。
【００２１】
またスタンド７の上端側には図２に示す折畳み状態で、持運び用の把手となる２本の横杆７ａが所定間隔を介して設けられており、このように折畳んだ状態で作業者が上端側を把持して持ち運ぶことが可能なので、大型看板を左右両側から抱えて視界を遮られながら横歩きしなければならない等の不便は解消され、倉庫や車両での荷積、荷降しも容易になる。
【００２２】
前記上下の分割枠２，３の伸展状態の保持は、前述したサポート杆６で上分割枠２を下分割枠３に沿って支えるほか、次のようなクランプ機構により固定的にセットされて保持される。
【００２３】
枠体１の上下の中間位置において上下の分割枠２，３の突合せ端で隣接し合う横枠材２ｂ，３ｂをボルト締着するもので、図１〜図３で示すように伸展状態で上下向き合って隣接する上下の横枠材２ｂ，３ｂの背面側の左右２箇所の対応位置には、それぞれ一対のブラケット２ｃ，３ｃが上下に対向するように取付けられ、一方（上方）のブラケット２ｃに蝶ねじ等からなるボルト１２の先端を下向きに突出させて回動自在に保持し、他方（下方）のブラケット３ｃに上記ボルト１２をねじ込むクリンプナット等よりなるナット部１３を設け、両ブラケット２ｃ，３ｃを上下より締着固定する。このようにブラケット２ｃ，３ｃをボルト締着することにより、上分割枠２と下分割枠３は同一平面上で一体的に連結されてクランプされる。
【００２４】
次に各分割枠２，３に対する表示パネル１４，１６の取付固定機構について説明すると、枠体１の上下左右端の枠材２ｂ，３ｂ，２ａ，３ａにおいては図４，図５に示すように各枠材共に長方形（正方形でも可）の枠材２ａ，２ｂ，３ａ，３ｂの表面に表示パネル１４，１６を沿わせて枠内に収容し、その表面側からＣ型断面のアルミ製品からなる押えカバー１７の一端で着脱自在に押接固定している。
【００２５】
この機構は既述の特許文献１中の図２で示される公知のものであるが、この例では長方形断面のパイプ材からなる枠材２ａ，２ｂ，３ａ，３ｂの背面外側コーナーに押えカバー１７の一端を位置決め係止し、他方の端部を枠材の表面側に沿って配置された表示パネル１４，１６の表面に押接固定するものであり、この押接は押えカバー１７をその外側からボルト１８で、枠材２ａ，２ｂ，３ａ，３ｂ内のクリンプナットからなるナット部１９にねじ込んで締着固定するものである。
【００２６】
他方、この例では上下の分割枠２，３はヒンジ部４で連結されており、表示パネル１４，１６の下端と上端は表面側に突出したヒンジ部４に当接して位置決めされ、隣接し合う枠体１の中間の枠材２ｂ，３ｂには押えカバー１７は設けられていない。即ち上下の表示パネル１４，１６の隣接端は固定されず、枠体１の上下の横枠材２ｂ，３ｂと左右の縦枠材２ａ，３ａでのみ押えカバー１７によって取付固定されている。
【００２７】
上記のような表示パネル１４，１６の固定構造により、上下の分割枠２，３を折畳んで重ね合わせた時、押えカバー１７同士が当接し合い、表示パネル１４，１６の表面には何も接触しないため、表示パネル表面の損傷が防止され、表示パネル１４，１６は繰返し再利用でき、経済性が良い。また押えカバー１７による固定なので、表示パネル１４，１６は、押えカバー１７の損傷端の開き幅の範囲で厚みに制約されることはないし、押えカバー１７によって損傷し易い表示パネル１４，１６の外周縁は常に保護される利点がある。
【００２８】
上記枠体１，スタンド７，位置決め枠８等の長方形枠の枠部材や格子部分は、いずれも溶接固定を避け、ビス止め等により組立分解可能に構成されている。
【００２９】
図６〜図８はこの発明の第２実施形態を示し、この例では、枠体１を構成する上下の分割枠２，３の四辺の枠材２ａ，２ｂ，３ａ，３ｂがすべて四角形（正方形）断面のアルミ製押出材からなるパイプを用いており、いずれの枠材にも押えカバー１７を設けず、同一平面の上下の分割枠２，３の表面に、直接上下表示パネル１４，１６をテックスビス等によって直接貼付け固定するタイプのものを示している。この場合も上下表示パネル１４，１６は上下分割枠２，３を連結するヒンジ部４を介して位置決め状態で突合わされる。
【００３０】
また本例のクランプ機構では、展開（伸展）姿勢の上下分枠枠２，３の両側の縦枠材２ａ，３ａの突合せ端に、各１本の帯板状又は棒状のサポート杆６を挿脱自在に差込むことによって、上下分割枠２，３を伸展姿勢で保持させている。
【００３１】
そしてこの例ではサポート杆６は上端を上側の左右の縦枠材２ａの下端側に挿入するとともに、縦枠材２ａの背面側の周壁に形成した縦方向の長孔２２よりサポート杆６にボルト（蝶ねじ）２１をねじ込んで上下スライドの範囲を決めて保持している。
【００３２】
該サポート杆６の下端は下降スライド状態で所定長さ縦枠材２ａの下端より突出し、この姿勢で下側の縦枠材３ａの上部開口端に差込み挿入されて上下の縦枠材２ａ，３ａは接続され、一直線上に接合される。サポート杆６の先端は縦枠材２ａ，３ａの背面周壁内面と内部に左右方向に挿通されたボルト等のピン材２３との間に挿入されて上下の縦枠材２ａ，３ａの通直姿勢を保持する。
【００３３】
上記サポート杆６は格納状態（枠体の折畳み時）も、上下分割枠２，３を展開した伸展状態の時も、蝶ねじを締付けることによって上下の位置決めセットが行われる。さらにこの例では、左右のヒンジ部４，４の間の下分割枠３の横枠材３ｂ上に、板状のスペーサー２６を沿わせて取付けており、上分割枠２が起立した時に、その下辺の横枠材３ｂに当接して十分に支えられる機構になっている。
【００３４】
またこの実施形態では図６，図７に示すように、背面側に折畳み開閉可能に設けた枠状のスタンド７はスタンド７の左右の縦杆７ｂと下分割枠３の縦枠材３ａとの間を連結する上下のリンク２４ａ，２４ｂによって取付けられている。このタイプのものは看板設置時の高さが約８０ｃｍ程度と低いために、スタンド７の上端は下分割枠３の上端側背面に当接してスタンド姿勢をサポートする機構となっている。
【００３５】
そしてスタンド７の上端には折畳み時の持運び用の把手となる横杆７ａを備えている。上記以外の機械的構成は前記第１実施形態と共通し、共通機能部分は符号も共通の符号で示されているので詳細な説明は省略する。
【００３６】
上記実施形態ではいずれも分割枠は上下２段としたが、これを３段以上に分割すること又は分割枠間に空間を設け、設置時に背面側の視界を確保することにより用途や設置場所の安全性を高めることも可能である。その他上下方向の分割枠以外に横方向の分割枠を連結し、持運びを簡単にすることもできる。
【００３７】
尚、本発明のように枠体表示面を複数に分割することにより、一個の枠体内に内容の異なる、あるいは一内容を補充する補充的な表示を行う複数種のパネルを取付けることができる。
【００３８】
図９（Ａ）（Ｂ）はいずれも上記図１〜図５に示す枠体１内の複数の表示パネル１４，１６間に表示パネルのない透視空間２７を形成した実施形態を示している。図９（Ａ）は上下の分割枠２，３の隣接端側に、一定の上下間隔を介して横枠材２ｂ´，３ｂ´をそれぞれ横設し、各横枠材２ｂ，２´間、横枠材３ｂ，３ｂ´間にそれぞれ形成された横長の長方形空間が透視空間２７として形成したものを示している。
【００３９】
図９（Ｂ）では、上記のような横枠材２ｂ´，３ｂ´を設けることなく、上下の分割枠２，３内で保持される表示パネル自体を互に表示内容の異なる上表示パネル１４ａ，１４ｂ、下表示パネル１６ａ，１６ｂにそれぞれ上下に分割形成し、各表示パネル１４ａ，１４ｂ間及び１６ａ，１６ｂ間に透視空間２７をそれぞれ介設形成して各表示パネル１４ａ，１４ｂ，１６ａ，１６ｂを押接（挟持）して固定している。表示パネル１４，１６の固定方法は異なるものの、上記実施形態はいずれも図６〜図８の実施形態にも応用可能である。
【００４０】
上記透視空間２７は、枠体１を伸展させた設置（展示）形態においては、通行するドライバーや通行人、現場作業者等が枠体１の反対側の現場情況を見透して安全確認ができる利点があるほか、枠体１の設置現場で小移動のために枠体１を持ち運ぶ際の枠体反対側の視界確保ができる。
【００４１】
また上記透視空間２７は設置現場においては、強風や大型車両通過時のあおり風等の風圧に対しても、風を通過させることによって枠体全体が受ける風圧を低減できるので、有効な通風空間としても作用する。
【００４２】
以上説明した本発明の実施形態における詳細な特徴を重ねて説明すると以下の通りである。
（１）従来一般に普及しているスタンド式看板は、長方形の枠体に表示パネルを一体的に取付けたものに、折畳みスタンドを取付けたものである。これに対し本発明の図１〜図５に示す固定枠は、枠体１自体を２つ折りに折畳み可能に上下分割形成し、各分割枠２，３に表示パネル１４，１６を挿脱可能に取付けており、背面側に長方形枠からなるスタンド７を折畳み可能に取付けている。
【００４３】
このスタンド７は下分割枠３の連結端背面に上向きに突設され、上分割枠２を伸展状態で支えるサポート杆６の上端に折畳み回動可能に連結されている。そして上記スタンド７上端側の横杆７ａを枠体折畳み状態での把持部としている。
【００４４】
このため、枠体１は折畳まれて約１／２の高さとなった状態で上記横杆７ａを把手として作業者が持運びでき、両手に１枠又は２枠同時に持ち運びできる。
【００４５】
（２）従来大型看板搬送には大型車両の使用が必要であったが、折畳み式にすることによりパトロールカー等の普通乗用車のトランクや軽自動車等への搭載も可能となり、交通事故や自然災害、その他の緊急の車両止め等緊急時の案内表示も迅速対応が可能となる。
【００４６】
（３）一般に通行表示板による案内表示には、工事現場の場合施工会社，工事内容，区間，日程，施工者等を記載するが、その役割は当該工事の終了をもって終了し、表示パネル自体は消耗品として１回限りの使用で廃棄されるが、表示パネルを挿脱交換可能とし、異なる種類の表示項目毎に分割して準備することにより、表示パネル自体を耐久材として繰り返し利用することができる。
【００４７】
（４）枠体１，スタンド７，位置決めの枠８等の各辺の構成部材はいずれもビス止め等により組立分解可能に構成することにより、部分的に変形や損傷した場合には当該部分のみ補修，修理，交換すれば足り、溶接固定した場合のように全体の交換は必要ない。
【００４８】
特に図１〜図５及び図９に示す例では、表示パネル１４，１６はすべて差込式で、ボルトやテックスビス等で枠体に直接取付固定しないため、パネル自体が損傷せず既述のように繰り返し使用ができる他、高輝度反射板等の高価な材質の表示パネルを用いた場合のように経済効果は大きい。
【００４９】
その他、表示パネル１４，１４間又は表示パネル１４ａ，１４ｂ，同１６ａ，１６ｂ間等に透視空間２７を設けて取付固定することにより、狭い道路等では、反対側から来る車両や通行人の確認ができ、夜間でも車両や自転車のライト確認が容易になる。また強風時や降雨は、降雪時等の風抜き効果も期待できる。
【符号の説明】
【００５０】
１    枠体
２，３    分割枠
４    ヒンジ部
６    サポート杆
７    スタンド
７ａ    把持部（横杆）
１４，１６    表示パネル
１７    押えカバー
【要約】
【課題】折畳むことにより取扱いが便利で安全な通行表示パネルを提供する。
【解決手段】この発明は、表面側に表示パネル１４を取付ける枠体１と枠体１を床面上で起立姿勢で支持するスタンド７とを備えた表示パネル用固定枠であって、枠体１を２個以上に分割して形成し、分割された分割枠２，３毎に各別の表示パネル１４，１６を取付けるとともに分割枠２，３間に表示パネル１４，１６の表示面を内向き方向に折畳み開閉可能なヒンジ部４を設け、隣接する分割枠２，３同士は、展開した表示姿勢で係脱可能に固定する。
【選択図】図１【図１】
0006742657.tif 000002
【図２】
0006742657.tif 000003
【図３】
0006742657.tif 000004
【図４】
0006742657.tif 000005
【図５】
0006742657.tif 000006
【図６】
0006742657.tif 000007
【図７】
0006742657.tif 000008
【図８】
0006742657.tif 000009
【図９】
0006742657.tif 000010